(57)【要約】  個々のユーザに合わせて選択的に広告を配信することができる情報処理装置及びプログラムを提供することを課題とする。情報処理装置３０は、広告を移動体１００に設けられた車載端末２０に配信する情報処理装置３０であって、移動体１００に乗車したユーザが立ち寄る地点の情報を地点情報として取得する地点情報取得部３２と、取得された地点情報に基づいて広告情報を取得して、車載端末２０に広告情報を配信する広告配信部３６と、を備える。
2018012506.tif 000002
【特許請求の範囲】
【請求項１】
移動体にて使用される車載端末に対して広告情報を配信する情報処理装置であって、
前記移動体に乗車したユーザが立ち寄る地点の情報を地点情報として取得する地点情報取得部と、
取得された地点情報に基づいて広告情報を取得して、該取得した広告情報を前記車載端末に対して配信する広告配信部と、
を備える情報処理装置。
【請求項２】
前記地点情報取得部により取得された地点情報を含むエリアを特定するエリア特定部を更に備え、
前記広告配信部は、前記特定されたエリアに関連する広告情報を取得する請求項１に記載の情報処理装置。
【請求項３】
前記地点情報取得部は、
前記移動体に乗車したユーザが所持するユーザ端末と前記車載端末とを紐づける端末紐付部と、
前記車載端末に紐づけた前記ユーザ端末の情報に基づいて、地点情報を特定する地点情報特定部と、
を備え、
前記広告配信部は、前記ユーザ端末に紐づけた前記車載端末に広告情報を配信する
請求項１又は２に記載の情報処理装置。
【請求項４】
前記端末紐付部は、前記ユーザ端末及び前記車載端末の間の通信により前記ユーザ端末から取得した情報に基づいて前記ユーザ端末と前記車載端末とを紐づける請求項３に記載の情報処理装置。
【請求項５】
前記端末紐付部は、前記車載端末と前記ユーザ端末との間の決済によって得られる前記ユーザ端末を識別するユーザ端末識別情報に基づいて前記ユーザ端末と前記車載端末とを紐づける請求項３又は４に記載の情報処理装置。
【請求項６】
前記端末紐付部は、前記車載端末の位置情報と任意の複数のユーザ端末の位置情報とを取得し、前記車載端末の位置にリンクして移動するユーザ端末を前記車載端末に紐づける請求項３〜５のいずれかに記載の情報処理装置。
【請求項７】
前記端末紐付部は、前記車載端末に紐づけられるユーザ端末が無い場合に、前記車載端末にユーザ端末の紐づけを実行しない請求項３〜６のいずれかに記載の情報処理装置。
【請求項８】
前記地点情報特定部は、前記ユーザ端末から地点情報を取得して、地点情報として特定する請求項３〜５のいずれかに記載の情報処理装置。
【請求項９】
前記地点情報特定部は、地点情報を推定可能な推定情報を前記ユーザ端末から取得し、推定情報に基づいて地点情報を特定する請求項３〜５のいずれかに記載の情報処理装置。
【請求項１０】
前記地点情報特定部は、前記ユーザ端末から前記ユーザ端末を識別するユーザ端末識別情報を取得し、取得したユーザ端末識別情報とユーザの過去の乗車履歴とに基づいて地点情報を特定する請求項３〜５のいずれかに記載の情報処理装置。
【請求項１１】
前記地点情報特定部は、前記車載端末の位置とリンクして移動するユーザ端末を識別するユーザ端末識別情報とユーザの過去の乗車履歴とに基づいて地点情報を特定する請求項５に記載の情報処理装置。
【請求項１２】
前記地点情報特定部は、前記車載端末から送信された前記移動体に乗車したユーザ、乗務員あるいは同乗者の音声を含む音声情報に基づいて地点情報を特定する請求項７に記載の情報処理装置。
【請求項１３】
移動体にて使用される車載端末に対して広告情報を配信する情報処理装置としてコンピュータを機能させるプログラムであって、
前記プログラムは、
前記移動体に乗車したユーザが立ち寄る地点の情報を地点情報として取得する地点情報取得部、
取得された地点情報に基づいて広告情報を取得して、該取得した広告情報を前記車載端末に対して配信する広告配信部、
としてコンピュータを機能させるプログラム。
【発明の詳細な説明】
【技術分野】
【０００１】
本発明は、情報処理装置及びプログラムに関する。
【背景技術】
【０００２】
従来、移動体に設置された車載端末に広告を表示することが行われている。例えば、車載端末のディスプレイに広告を表示させ、乗客への訴求力をさらに高めようと試みる技術が特許文献１に記載されている。
【先行技術文献】
【特許文献】
【０００３】
【特許文献１】特開２０００−２０００７７号公報
【発明の概要】
【発明が解決しようとする課題】
【０００４】
特許文献１に記載のシステムでは、ビデオパッケージと、表示装置と、ビデオパッケージのプログラム内容と関連する文字、写真、グラフ等の印刷媒体であるリーフレットとを具備して、移動体にユーザ（乗客）が乗車するとビデオパッケージの映像の放映を開始するようにしている。【０００５】
しかしながら、このシステムでは、一方的で固定的な内容で広告がなされる。また、放映される映像について、ビデオパッケージや文字放送による広告内容の選択ができるにとどまり、ユーザ自ら進んで広告を見ようとする気持ちを抱かせることは困難である。さらに、ユーザの嗜好に合わせるための工夫がされておらず、広告が有効に活用されていないのが実情である。そこで、個々のユーザに合わせて選択的に広告を配信することができれば有用である。【０００６】
本発明は、個々のユーザに合わせて選択的に広告を配信することができる情報処理装置及びプログラムを提供することを目的とする。
【課題を解決するための手段】
【０００７】
本発明は、移動体にて使用される車載端末に対して広告情報を配信する情報処理装置であって、前記移動体に乗車したユーザが立ち寄る地点の情報を地点情報として取得する地点情報取得部と、取得された地点情報に基づいて広告情報を取得して、該取得した広告情報を前記車載端末に対して配信する広告配信部と、を備える情報処理装置に関する。【０００８】
また、情報処理装置は、前記地点情報取得部により取得された地点情報を含むエリアを特定するエリア特定部を更に備え、前記広告配信部は、前記特定されたエリアに関連する広告情報を取得するのが好ましい。【０００９】
また、前記地点情報取得部は、前記移動体に乗車したユーザが所持するユーザ端末と前記車載端末とを紐づける端末紐付部と、前記車載端末に紐づけた前記ユーザ端末の情報に基づいて、地点情報を特定する地点情報特定部と、を備え、前記広告配信部は、前記ユーザ端末に紐づけた前記車載端末に広告情報を配信するのが好ましい。【００１０】
また、前記端末紐付部は、前記車載端末から車載端末識別情報を取得するとともに、前記ユーザ端末から地点情報及びユーザ端末識別情報を取得することで、前記車載端末と前記ユーザ端末とを紐づけ、前記地点情報特定部は、取得した地点情報をそのまま地点情報として特定するのが好ましい。【００１１】
また、前記端末紐付部は、前記ユーザ端末及び前記車載端末の間の通信により前記ユーザ端末から取得した情報に基づいて前記ユーザ端末と前記車載端末とを紐づけるのが好ましい。【００１２】
また、前記端末紐付部は、前記車載端末と前記ユーザ端末との間の決済によって得られる前記ユーザ端末を識別するユーザ端末識別情報に基づいて前記ユーザ端末と前記車載端末とを紐づけるのが好ましい。【００１３】
また、前記端末紐付部は、前記車載端末の位置情報と任意の複数のユーザ端末の位置情報とを取得し、前記車載端末の位置にリンクして移動するユーザ端末を前記車載端末に紐づけるのが好ましい。【００１４】
また、前記端末紐付部は、前記車載端末に紐づけられるユーザ端末が無い場合に、前記車載端末にユーザ端末の紐づけを実行しないのが好ましい。【００１５】
また、前記地点情報特定部は、前記ユーザ端末から地点情報を取得して、地点情報として特定するのが好ましい。【００１６】
また、前記地点情報特定部は、地点情報を推定可能な推定情報を前記ユーザ端末から取得し、前記推定情報に基づいて地点情報を特定するのが好ましい。【００１７】
また、前記地点情報特定部は、前記ユーザ端末から前記ユーザ端末を識別するユーザ端末識別情報を取得し、取得したユーザ端末識別情報とユーザの過去の乗車履歴とに基づいて地点情報を特定するのが好ましい。【００１８】
また、前記地点情報特定部は、前記車載端末の位置とリンクして移動するユーザ端末を識別するユーザ端末識別情報とユーザの過去の乗車履歴とに基づいて地点情報を特定するのが好ましい。【００１９】
また、前記地点情報特定部は、前記車載端末から送信された前記移動体に乗車したユーザ、乗務員あるいは同乗者の音声を含む音声情報に基づいて地点情報を特定するのが好ましい。【００２０】
また、本発明は、移動体にて使用される車載端末に対して広告情報を配信する情報処理装置としてコンピュータを機能させるプログラムであって、前記プログラムは、前記移動体に乗車したユーザが立ち寄る地点の情報を地点情報として取得する地点情報取得部、取得された地点情報に基づいて広告情報を取得して、該取得した広告情報を前記車載端末に対して配信する広告配信部、としてコンピュータを機能させるプログラムに関する。
【発明の効果】
【００２１】
本発明によれば、個々のユーザに合わせて選択的に広告を配信することができる情報処理装置及びプログラムを提供することができる。
【図面の簡単な説明】
【００２２】
【図１】本発明の一実施形態に係る情報処理装置を含む情報処理システムの概略図を示す。
【図２】一実施形態の情報処理装置のブロック図を示す。
【図３】一実施形態の情報処理装置の履歴情報データベースに記憶された履歴情報を示す。
【図４】一実施形態の情報処理装置の地点情報取得部のブロック図を示す。
【図５】一実施形態の情報処理装置を用いた広告配信の流れを示すフローチャートである。
【図６】一実施形態の地点情報特定処理の流れを示すフローチャートである。
【発明を実施するための形態】
【００２３】
以下、本発明の一実施形態に係る情報処理装置及びプログラムについて、図面を参照して説明する。
まず、本実施形態の情報処理装置が用いられる情報処理システム１について、図１を参照して説明する。
【００２４】
情報処理システム１は、図１に示すように、移動体１００（例えば、タクシー）に設置されている車載端末２０に対して、経由地や目的地等のユーザ（例えば、タクシーの乗客）の立ち寄る場所に基づいた広告を表示するシステムである。情報処理システム１は、ユーザ端末１０と、車載端末２０と、情報処理装置３０と、を備える。
【００２５】
ユーザ端末１０は、例えば、ユーザが所持するスマートフォン等の携帯端末である。ユーザ端末１０は、車載端末２０との間で通信可能に構成される。また、ユーザ端末１０は、移動体１００を手配するためのアプリケーション（以下、「配車アプリ」という）を実行可能に構成される。ユーザ端末１０に配車アプリがインストールされている場合、ユーザ端末１０は、少なくとも、ユーザ端末１０を識別するユーザ端末識別情報を後述する車載端末２０に送信可能に構成される。ここで、ユーザ端末識別情報とは、ユーザ端末１０のそれぞれを識別するための情報であり、例えばユーザ端末１０の製造番号や、ユーザ端末１０に割り当てられたＭＡＣアドレス等のユニークな情報により実現される。
【００２６】
また、ユーザ端末１０は、後述する二次元バーコード（例えばＱＲコード（登録商標））を用いた決済の際に、ユーザ端末識別情報を車載端末２０に送信可能に構成される。また、ユーザ端末１０は、通信（ブルートゥース（登録商標）に準拠した通信や、ブルートゥース（登録商標）に準拠したビーコンの検知や、例えばＦｅｌｉＣａ（登録商標）等の規格に準拠したＮＦＣ（近距離無線通信））を可能とする設定がなされている場合に、ユーザ端末識別情報を車載端末２０に送信可能に構成される。
【００２７】
車載端末２０は、移動体１００内で利用される車載端末であり、例えば、タブレット型の端末により実現される。車載端末２０には、ユーザ、乗務員あるいは同乗者の音声を音声情報として取得可能な音声取得部２１（例えば、マイク）が設けられている。また、車載端末２０には、広告を表示可能な表示部２２（例えば、ディスプレイ）が設けられている。更に、車載端末２０にはユーザの画像を画像情報として取得可能な撮像部２３（例えば、カメラ）が設けられている。車載端末２０は、移動体１００に乗車中のユーザが、表示部２２に表示される広告を閲覧可能な場所に配置される。
【００２８】
以上の車載端末２０は、移動体１００に乗車したユーザが所持するユーザ端末１０と通信可能に構成される。車載端末２０は、例えば、ブルートゥース（登録商標）に準拠した通信や、ブルートゥース（登録商標）に準拠したビーコンの検知等によりユーザ端末１０と通信可能に構成される。車載端末２０は、ユーザ端末１０との通信により得られた情報（上述のユーザ端末識別情報等）を後述する情報処理装置３０に送信可能に構成される。また、車載端末２０は、自身を識別する車載端末識別情報を後述する情報処理装置３０に送信可能に構成される。ここで、車載端末識別情報とは、車載端末２０のそれぞれを識別するための情報であり、ユーザ端末識別情報と同様に、例えば車載端末２０の製造番号や、車載端末２０に割り当てられたＭＡＣアドレス等のユニークな情報により実現される。
【００２９】
情報処理装置３０は、例えばクラウドサーバであり、車載端末２０とネットワークＮを介して通信可能に構成される。情報処理装置３０は、例えば、広告（広告情報）を移動体１００に設けられた車載端末２０に配信可能に構成される。
【００３０】
次に、情報処理装置３０の構成について、図２〜図４を参照して説明する。
情報処理装置３０は、図２に示すように、履歴情報データベース３１と、地点情報取得部３２と、エリア情報データベース３３と、エリア特定部３４と、広告情報データベース３５と、広告配信部３６と、を備える。
【００３１】
履歴情報データベース３１は、過去に移動体１００に乗車したユーザの乗車履歴を格納する。具体的には、履歴情報データベース３１は、図３に示すように、ユーザ端末１０を識別するユーザ識別情報と、過去に移動体１００に乗車した履歴とを履歴情報として格納する。履歴情報データベース３１は、ユーザが過去に乗車した乗車履歴として、日時、出発地、及び目的地等を格納する。履歴情報データベース３１は、ユーザが過去に乗車した乗車履歴について、外部のサーバ（例えば、移動体１００を運営する会社のサーバ、図示せず）から得て蓄積することができる。また、履歴情報データベース３１は、ユーザ端末１０内にインストールされている配車アプリの利用履歴を得て履歴情報として蓄積してもよい。
【００３２】
地点情報取得部３２は、移動体１００に乗車したユーザが立ち寄る地点（経由地又は目的地）の情報を地点情報として取得する。また、地点情報取得部３２は、車載端末２０及びユーザ端末１０の間の紐づけを実施する。この地点情報取得部３２は、図４に示すように、端末紐付部３２０と、地点情報特定部３３０と、を備える。
【００３３】
端末紐付部３２０は、移動体１００に乗車したユーザと、乗車した移動体１００にて使用される車載端末２０とを紐づける。即ち、端末紐付部３２０は、移動体１００に乗車したユーザが所持するユーザ端末１０と、この移動体１００にて使用される車載端末２０とを紐づける。具体的には、端末紐付部３２０は、ユーザ端末１０及び車載端末２０の間の通信により端末から取得した情報に基づいてユーザ端末１０と車載端末２０とを紐づける。
【００３４】
例えば、端末紐付部３２０は、車載端末２０を識別する車載端末識別情報と、ユーザ端末１０を識別するユーザ端末識別情報とを車載端末２０から取得して紐づける。端末紐付部３２０は、ユーザ端末が配車アプリを用いている場合や、後述する二次元バーコード（ＱＲコード（登録商標））を用いた決済の場合や、通信設定が可能になっている場合に、車載端末２０から車載端末識別情報とユーザ端末識別情報とを車載端末２０から取得して紐づける。
【００３５】
また、端末紐付部３２０は、ユーザ端末１０側の通信不可設定により車載端末２０がユーザ端末１０と通信できない場合には、車載端末の位置情報と任意の複数のユーザ端末の位置情報とを取得し、車載端末２０の位置にリンクして移動するユーザ端末１０を車載端末２０に紐づける。複数のユーザ端末１０の位置情報は、他のアプリケーション（例えば、地図案内のアプリケーション）を提供している事業者のサーバ（図示せず）等が収集している場合に、ユーザの許諾を受けた上で、この事業者のサーバから取得するようにするとよい。
【００３６】
また、端末紐付部３２０は、ユーザ端末１０の電源がオフの状態であったり、ユーザ端末１０自体が所持されておらず、車載端末２０がユーザ端末１０と通信できない場合、車載端末２０にユーザ端末の紐づけを実行しない。端末紐付部３２０による紐付については、後に詳述する。
【００３７】
地点情報特定部３３０は、紐づけられたユーザ端末１０から得られたユーザ端末識別情報に基づいて、地点情報を特定する。地点情報特定部３３０による特定については、後に詳述する。
【００３８】
エリア情報データベース３３は、地点情報に含まれる経由地や目的地等が含まれるエリアを示すエリア情報を格納する。エリア情報データベース３３は、例えば、地点情報によって示される経由地や目的地等を含む広域のエリアを示すエリア情報を格納する。
【００３９】
エリア特定部３４は、地点情報取得部３２によって取得された地点情報を含むエリアを特定する。具体的には、エリア特定部３４は、エリア情報データベース３３を参照して、地点情報によって示される経由地や目的地等が含まれるエリアをエリア情報から特定する。
【００４０】
広告情報データベース３５は、車載端末２０に配信する広告の情報を広告情報として格納する。また、広告情報データベース３５は、広告情報として、エリアに紐づけられた広告ファイルを格納する。
【００４１】
広告配信部３６は、エリア特定部３４によって特定されたエリアに紐づけられた広告情報を取得して、取得した広告情報を車載端末識別情報によって識別される車載端末２０に配信する。具体的には、広告配信部３６は、広告情報データベース３５を参照して、エリア特定部３４によって特定されたエリアに紐づけられた広告ファイルを広告情報として取得する。広告配信部３６は、取得した広告情報を車載端末識別情報によって識別された車載端末２０に配信する。なお、広告配信部３６は、地点情報取得部３２によって地点情報が取得できなかった場合、任意の広告情報を広告情報データベース３５から取得して、取得した広告情報を車載端末識別情報によって識別された車載端末２０に配信する。
【００４２】
次に、端末紐付部３２０及び地点情報特定部３３０について詳述する。
端末紐付部３２０及び地点情報特定部３３０は、車載端末２０から取得可能なユーザ端末１０の情報に応じて、以下の（状態１）から（状態４）の何れの状態であるのかを判定する。そして、各状態に対応した方法で紐づけを行う。なお、どのような場合にどの状態と判定するのかについては、図６を参照して後述する。
【００４３】
（状態１）
ユーザ端末１０から配車アプリを用いて移動体１００を配車している場合であって、地点情報を示す経由地や目的地の指定も行われている場合を状態１とする。即ち、車載端末２０がユーザ端末１０との間で通信することにより、ユーザ端末識別情報及び地点情報を得られる場合を状態１とする。この場合、端末紐付部３２０は、車載端末２０から車載端末識別情報、ユーザ端末識別情報、及び地点情報を取得して、車載端末識別情報及びユーザ端末識別情報を紐づける。
地点情報特定部３３０は、端末紐付部３２０によって取得された地点をそのまま地点情報として特定する。
【００４４】
（状態２）
ユーザ端末１０から配車アプリを用いて移動体１００を配車しており、地点情報を示す経由地や目的地の指定が行われていない場合であって、端末紐付部３２０がユーザ端末１０内から地点情報を推定する推定情報を得られる場合を状態２とする。即ち、車載端末２０がユーザ端末１０との間で決済やブルートゥース（登録商標）、ビーコン、又はＮＦＣ（近距離無線通信）を用いて通信可能であるものの、地点情報を直接的に得られない場合を状態２とする。また、ユーザ端末１０が配車アプリを用いて移動体１００を配車していない場合（例えば、手を上げて移動体１００に乗車した場合）であって、端末紐付部３２０がユーザ端末１０内から地点情報を推定する推定情報を得られる場合を状態２とする。
【００４５】
この場合、端末紐付部３２０は、車載端末２０から車載端末識別情報及びユーザ端末識別情報を取得して、車載端末識別情報及びユーザ端末識別情報を紐づける。また、端末紐付部３２０は、車載端末２０を介して、推定情報を取得する。
【００４６】
地点情報特定部３３０は、推定情報に基づいて地点情報を特定する。地点情報特定部３３０は、例えば、推定情報としてカレンダーの情報を取得して、配車の日時における予定に含まれる経由地や目的地を地点情報として特定する。また、他の例として、地点情報特定部３３０は、配車の時間帯におけるＧＰＳのログや、ウェブにおける表示ページや、経由地又は目的地の検索履歴を推定情報として、推定情報から地点情報を特定する。
【００４７】
（状態３）
ユーザ端末１０が配車アプリを用いて移動体１００を配車していない場合（例えば、手を上げて移動体１００に乗車した場合）であって、端末紐付部３２０が車載端末２０からユーザ端末識別情報を取得できる場合を状態３とする。この場合、端末紐付部３２０は、車載端末２０から車載端末識別情報及びユーザ端末識別情報を取得して、車載端末識別情報及びユーザ端末識別情報を紐づける。
【００４８】
地点情報特定部３３０は、車載端末２０に紐づけされたユーザ端末１０のユーザ端末識別情報に関連する過去の乗車履歴から地点情報を特定する。具体的には、地点情報特定部３３０は、ユーザ端末識別情報に紐づけされた履歴情報に含まれる経由地又は目的地を履歴情報データベース３１から読み出して、地点情報として特定する。
【００４９】
（状態４）
ユーザ端末１０が配車アプリを用いて移動体１００を配車していない場合（例えば、手を上げて移動体１００に乗車した場合）であって、端末紐付部３２０が車載端末２０からユーザ端末識別情報を取得できない場合を状態４とする。この場合、端末紐付部３２０は、車載端末２０から車載端末識別情報及び音声情報を取得する。また、車載端末２０がユーザ端末１０と通信できない場合であって、移動体１００の位置とリンクして移動するユーザ端末１０を識別できる場合を状態４とする。この場合、端末紐付部３２０は、移動体１００の位置情報と任意の複数のユーザ端末の位置情報とを取得し、移動体１００の位置にリンクして移動するユーザ端末１０を特定する。端末紐付部３２０は、特定したユーザ端末１０のユーザ端末識別情報と、移動体１００の車載端末識別情報とを紐づける。
【００５０】
地点情報特定部３３０は、音声情報を解析して、地点情報を特定する。地点情報特定部３３０は、例えば、音声情報のうち、経由地や目的地を示す音声である可能性が高い乗車直後の音声を解析して地点情報を特定する。
【００５１】
次に、本実施形態に係る情報処理装置３０の流れを図５及び図６を参照して説明する。
【００５２】
まず、ステップＳ１において、地点情報取得部３２は、移動体１００に対して利用者（ユーザ）がいるか否かを判断する。具体的に、地点情報取得部３２は、車載端末２０から車載端末識別情報が送信されたか否かを判断する。地点情報取得部３２が車載端末２０から車載端末識別情報を取得した場合、ステップＳ２に進む。一方、地点情報取得部３２が車載端末２０から車載端末識別情報を取得しない場合、ステップＳ１を繰り返す。
【００５３】
次いで、ステップＳ２において、地点情報取得部３２は、車載端末２０から受信した情報に基づいて、地点情報を特定する。地点情報を特定する地点情報特定処理については後に詳述する。地点情報取得部３２が地点情報を特定した後、ステップＳ３に進む。
【００５４】
ステップＳ３において、エリア特定部３４は、地点情報に示される経由地又は目的地等を含むエリアを特定する。エリア特定部３４は、特定したエリアを広告配信部３６に送信して、ステップＳ４に進む。
【００５５】
ステップＳ４において、広告配信部３６は、エリア情報に基づいて広告情報を取得して、ステップＳ５に進む。
ステップＳ５において、広告配信部３６は、取得した広告情報を車載端末２０に配信する。
これにより、情報処理装置３０の動作は終了する。
【００５６】
次に、ステップＳ２における地点情報特定処理について図６を参照して説明する。
まず、ステップＳ２１において、端末紐付部３２０は、配車アプリを用いた配車か否かを判断する。配車アプリを用いた配車である場合、ステップＳ２２に進む。一方、配車アプリを用いた配車でない場合、ステップＳ２４に進む。
【００５７】
ステップＳ２２において、配車アプリ用いた配車であって経由地又は目的地等（地点情報）の指定が有る場合（状態１の場合）、端末紐付部３２０は、車載端末識別情報、ユーザ端末識別情報、及び地点情報を取得する。端末紐付部３２０は、取得した車載端末識別情報及びユーザ端末識別情報を紐づける。端末紐付部３２０は、取得した情報を地点情報特定部３３０に送り、ステップＳ２３へ進む。一方、配車アプリ用いた配車であって経由地又は目的地（地点情報）の指定がない場合（状態２の場合）、ステップＳ２４へ進む。
【００５８】
ステップＳ２３において、地点情報特定部３３０は、端末紐付部３２０から送られた地点情報に含まれる経由地又は目的地をそのまま地点情報として特定する。地点情報特定部３３０は、車載端末識別情報、ユーザ端末識別情報、及び地点情報をエリア特定部３４に送り、地点情報特定処理が終了する。
【００５９】
ステップＳ２４において、端末紐付部３２０は、ユーザ端末１０との間で通信可能か否かを判断する。即ち、端末紐付部３２０は、状態２又は３の場合であるか否かを判断する。また、端末紐付部３２０は、状態４のうち、ユーザ端末１０を識別可能であるか否かを判断する。状態２又は３の場合や、状態４のうち、ユーザ端末１０を識別可能であれば、端末紐付部３２０は、車載端末識別情報とユーザ端末識別情報とを紐づけて、ステップＳ２５へ進む。一方、そうでなければ（状態４のうち、ユーザ端末１０を識別できない場合であれば）、端末紐付部３２０は、車載端末識別情報と音声情報とを地点情報特定部３３０に送信して、ステップＳ３０へ進む。
【００６０】
ステップＳ２５において、端末紐付部３２０は、ユーザ端末１０内の情報を参照可能か否か判断する。端末紐付部３２０がユーザ端末１０内の情報を参照可能であれば（状態２の場合であれば）、端末紐付部３２０は、ユーザ端末１０を参照するとともに推定情報を取得する。また、端末紐付部３２０は、車載端末識別情報とユーザ端末識別情報とをユーザ端末１０から取得して、車載端末識別情報、ユーザ端末識別情報、及び推定情報を地点情報特定部３３０に送信し、ステップＳ２６に進む。一方、端末紐付部３２０がユーザ端末１０内の情報を参照可能でなければ（状態３や状態４のうち、ユーザ端末１０を識別可能の場合であれば）、端末紐付部３２０は、車載端末識別情報とユーザ端末識別情報とをユーザ端末１０から取得して地点情報特定部３３０に送信し、ステップＳ２８に進む。
【００６１】
ステップＳ２６において、地点情報特定部３３０は、推定情報から地点情報を特定可能か判断する。地点情報特定部３３０が推定情報から地点情報を取得可能である場合、ステップＳ２７に進む。一方、地点情報特定部３３０が推定情報から地点情報を取得できない場合、ステップＳ２８に進む。
【００６２】
ステップＳ２７において、地点情報特定部３３０は、推定情報から地点情報を特定する。これにより、地点特定処理は終了する。
【００６３】
ステップＳ２８において、地点情報特定部３３０は、ユーザ端末識別情報を用いて、ユーザの過去の乗車履歴を参照する。地点情報特定部３３０がユーザの過去の乗車履歴に基づいて地点情報を特定可能である場合、ステップＳ２９に進む。一方、地点情報特定部３３０がユーザの過去の乗車履歴に基づいて地点情報を特定できない場合、ステップＳ３０に進む。
【００６４】
ステップＳ２９において、地点情報特定部３３０は、ユーザの過去の乗車履歴から地点情報を特定する。これにより、地点特定処理は終了する。
【００６５】
ステップＳ３０において、状態３で地点情報を特定できなかった場合、及び状態４の場合、端末紐付部３２０は、車載端末識別情報と音声情報とを紐づけて、地点情報特定部３３０に送信する。地点情報特定部３３０は、音声情報を解析して地点情報を取得可能か否か判断する。地点情報特定部３３０が音声情報を解析して地点情報を取得可能である場合、ステップＳ３１に進む。一方、地点情報特定部３３０は、音声情報を解析して地点情報を取得できる場合、ステップＳ３２に進む。
【００６６】
ステップＳ３１において、地点情報特定部３３０は、音声情報の解析により地点情報を特定する。これにより、地点情報特定処理は終了する。
【００６７】
ステップＳ３２において、地点情報特定部３３０は、地点情報なしとして地点情報を特定する。これにより地点情報特定処理は終了する。
【００６８】
本発明に含まれる情報処理装置の全部又は一部は、ハードウェア、ソフトウェア又はこれらの組合せにより実現することができる。ここで、ソフトウェアによって実現されるとは、コンピュータがプログラムを読み込んで実行することにより実現されることを意味する。ハードウェアで構成する場合、サーバの一部又は全部を、例えば、ＬＳＩ(Large Scale Integrated circuit)、ＡＳＩＣ(Application Specific Integrated Circuit)、ゲートアレイ、ＦＰＧＡ(Field Programmable Gate Array)等の集積回路（ＩＣ）で構成することができる。
【００６９】
本発明に含まれる情報処理装置の備える機能の全部又は一部をソフトウェアで構成する場合、本発明に含まれる情報処理装置の動作の全部又は一部を記述したプログラムを記憶した、ハードディスク、ＲＯＭ等の記憶部、演算に必要なデータを記憶するＤＲＡＭ、ＣＰＵ、及び各部を接続するバスで構成されたコンピュータにおいて、演算に必要な情報をＤＲＡＭに記憶し、ＣＰＵで当該プログラムを動作させることで実現することができる。
【００７０】
プログラムは、様々なタイプの非一時的なコンピュータ可読媒体（computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。
【００７１】
以上の情報処理装置３０及びプログラムによれば、以下の効果を奏する。
【００７２】
（１）情報処理装置３０を、移動体１００に乗車したユーザが立ち寄る地点の情報を地点情報として取得する地点情報取得部３２と、取得された地点情報に基づいて広告情報を取得して、車載端末２０に広告情報を配信する広告配信部３６と、を含んで構成した。これにより、個々のユーザに合わせて選択的に広告を配信することができるので、よりユーザライクな広告を提供することができる。
【００７３】
（２）情報処理装置３０を更に、取得された地点情報を含むエリアを特定するエリア特定部３４を含んで構成し、広告配信部３６が、特定されたエリアに関連する広告情報を取得するようにした。これにより、地点情報によって示される場所に対応する広告が無い場合であっても、近いエリアの広告を表示することができるので、広告効果を見込むことができる。
【００７４】
（３）地点情報取得部３２を、移動体１００に乗車したユーザが所持するユーザ端末１０と車載端末２０とを紐づける端末紐付部３２０と、紐づけられたユーザ端末１０から得られたユーザ端末識別情報に基づいて、地点情報を特定する地点情報特定部３３０と、を含んで構成した。また、広告配信部３６が、ユーザ端末１０に紐づけた車載端末２０に広告情報を配信するようにした。これにより、ユーザごとに適切な広告を配信することができ、広告効果の増大を期待できる。
【００７５】
（４）端末紐付部３２０が、ユーザ端末１０及び車載端末２０の間の通信によりユーザ端末１０から取得した情報に基づいてユーザ端末１０と車載端末２０とを紐づけるようにした。これにより、適切な車載端末２０に広告を配信することができる。
【００７６】
（５）端末紐付部３２０が、車載端末２０とユーザ端末１０との間の決済によって得られるユーザ端末１０を識別するユーザ端末識別情報に基づいてユーザ端末１０と車載端末２０とを紐づけるようにした。これにより、車載端末２０がユーザ端末１０を識別する情報を容易に得ることができ、車載端末２０とユーザ端末１０との紐付を容易に実施することができる。
【００７７】
（６）端末紐付部３２０が、車載端末２０の位置情報と任意の複数のユーザ端末の位置情報とを取得し、車載端末２０の位置にリンクして移動するユーザ端末１０を車載端末２０に紐づけるようにした。これにより、ユーザ端末１０からユーザ端末識別情報を得られない場合であっても、車載端末２０とユーザ端末１０とを紐づけて適切な広告を配信できる。従って、広告効果の増大を期待できる。
【００７８】
（７）端末紐付部３２０が、車載端末２０に紐づけられるユーザ端末が無い場合に、車載端末２０にユーザ端末の紐づけを実行しないようにした。これにより、誤ったユーザ端末を車載端末に紐づけることを抑制でき、不要な広告の配信を抑制することができる。
【００７９】
（８）地点情報特定部３３０が、ユーザ端末１０から地点情報を取得して、地点情報として特定するようにした。これにより、容易に地点情報を特定することができるとともに、適切な地点情報を特定することができるので、ユーザに対して適切な広告を提供することができる。
【００８０】
（９）地点情報特定部３３０が、地点情報を推定可能な推定情報をユーザ端末１０から取得し、推定情報に基づいて地点情報を特定するようにした。これにより、地点情報を直接取得できない場合であっても、推定情報を用いて地点情報を特定することができる。従って、ユーザにまったく関係のない広告の配信を抑制できるとともに、広告効果の増大を期待できる。
【００８１】
（１０）地点情報特定部３３０が、ユーザ端末１０からユーザ端末１０を識別するユーザ端末識別情報を取得し、取得したユーザ端末識別情報とユーザの過去の乗車履歴とに基づいて地点情報を特定するようにした。これにより、地点情報を直接取得できない場合であっても、ユーザが立ち寄る場所を推定して地点情報を特定できる。従って、ユーザにまったく関係のない広告の配信を抑制できるとともに、広告効果の増大を期待できる。
【００８２】
（１１）地点情報特定部３３０が、車載端末２０の位置とリンクして移動するユーザ端末１０を識別するユーザ端末識別情報とユーザの過去の乗車履歴とに基づいて地点情報を特定するようにした。これにより、ユーザ端末１０を識別する情報が車載端末２０から得られない場合であっても、車載端末２０とユーザ端末１０とを紐づけることができる。従って、ユーザにまったく関係のない広告の配信を抑制できるとともに、広告効果の増大を期待できる。
【００８３】
（１２）地点情報特定部３３０が、車載端末２０から送信された移動体１００に乗車したユーザ乗務員あるいは同乗者の音声を含む音声情報に基づいて地点情報を特定するようにした。これにより、ユーザ端末１０を識別する情報を得られない場合であっても、ユーザが立ち寄る場所を予測して適切な広告を配信することができる。
【００８４】
以上、本発明の情報処理装置及びプログラムの好ましい一実施形態につき説明したが、本発明は、上述の実施形態に制限されるものではなく、適宜変更が可能である。
【００８５】
例えば、上記実施形態において、情報処理装置３０を１つのサーバとして記載したが、１つのサーバに制限されず、複数のサーバで構成されてもよい。
【００８６】
また、上記実施形態において、経由地又は目的地が入力された配車アプリが用いられる場合、車載端末２０がユーザ端末１０からユーザ端末識別情報と地点情報とを取得する例を示したが、これに制限されない。例えば、配車アプリで配車が行われることにより、ユーザ端末識別情報と目的地を示す地点情報とが移動体を運営する会社のサーバ（図示せず）に送信されてもよい。この場合、移動体１００を運営する会社のサーバは、配車した移動体１００の車載端末２０にユーザ端末識別情報及び地点情報を送信し、当該車載端末２０は、車載端末識別情報、ユーザ端末識別情報、及び地点情報を情報処理装置３０に送信してもよい。なお、移動体を運営する会社のサーバがこのような機能を有しない場合、情報処理装置３０は、上記状態２として処理を実行してもよい。
【００８７】
また、上記実施形態において、端末紐付部３２０が、ユーザ端末１０内の情報を参照可能か否か判断した後に、地点情報特定部３３０が、ユーザの過去の乗車履歴から地点情報を特定したが、これに制限されない。即ち、地点情報特定部３３０が、ユーザの過去の乗車履歴から地点情報を特定できない場合に、端末紐付部３２０が、ユーザ端末１０内の情報を参照して推定情報を取得するようにしてもよい。
【００８８】
また、上記実施形態において、地点情報の候補となる経由地又は目的地が複数ある場合、地点情報として特定する優先順位は、任意に決定されてよい。例えば、地点情報特定部３３０がユーザの過去の乗車履歴から地点情報を特定する場合、地点情報特定部３３０は、乗車時刻や、頻度、より最近の乗車履歴等により経由地又は目的地に優先順位を付けて地点情報を特定してもよい。また、端末紐付部３２０は、より最近の推定情報をより優先的に取得してもよい。
【００８９】
また、上記実施形態において、車載端末２０に設けられた撮像部２３（例えば、カメラ）を用いてユーザの顔を撮像し、端末紐付部３２０は、車載端末２０からユーザの顔を含む画像を撮像画像として取得してもよい。広告配信部３６は、撮像画像に含まれるユーザの顔に基づいて、性別や年齢を推定して配信する広告情報を更に特定して取得してもよい。この場合、広告情報データベースは、エリアに加え、年齢や性別に紐づけられた広告ファイルを広告情報として格納する。また、２人以上のユーザが移動体１００に乗車して２以上のユーザ端末識別情報が取得された場合には、端末紐付部３２０は、撮像画像から性別や年齢を推定して、車載端末２０の前にいるユーザにあった広告情報を配信してもよい。
【００９０】
また、上記実施形態において、エリア特定部３４が地点情報を含むエリアを特定したが、これに制限されない。例えば、エリア特定部３４及びエリア情報データベース３３を設けずに、地点情報取得部３２が、地点情報を直接広告配信部３６に送信してもよい。広告配信部３６は、地点情報に基づいて配信する広告情報を広告情報データベース３５から取得して、取得した広告情報を車載端末２０に配信してもよい。
【００９１】
また、上記実施形態において、音声情報を解析して地点情報を特定できない場合、地点情報特定部は、地点情報なしと特定するとしたが、これに制限されない。この場合、地点情報特定部は、例えば、移動体の進行方向や時間帯（統計的に多くのユーザが時間帯や進行方向から経由地や目的地として指定する場所）、車載端末のカメラで取得した情報（ユーザの顔画像が予め履歴情報として登録されている場合に、カメラで取得した画像に含まれる顔画像と登録されている顔画像との一致度）等から経由地や目的地を推定して、地点情報を特定してもよい。
【００９２】
また、この場合でも地点情報が特定できない場合、地点情報特定部は、カーナビゲーションシステムのような乗務員端末に登録された目的地や、車載端末において選択的に経由地や目的地を表示した上で、選択された経由地や目的地や、車載端末に直接入力された経由地や目的地を地点情報として特定してもよい。
【００９３】
また、上記実施形態において、移動体に乗車したユーザが別のユーザが滞在する場所を経由地や目的地とした場合、地点情報特定部は、他のユーザの位置情報によって示される場所を地点情報として特定してもよい。他のユーザの位置情報は、例えば、他のアプリケーション（例えば、地図案内のアプリケーション）を提供している事業者のサーバ（図示せず）等が収集している場合に、ユーザの許諾を受けた上で、この事業者のサーバから取得するようにするとよい。あるいは、他のユーザの所有している通信端末と通信するための情報（例えば、通信を行うためのアプリケーションのアドレス情報）をユーザ端末１０から取得し、この他のユーザの所有している通信端末と通信を行うことにより、他のユーザの位置情報を取得するようにしてもよい。
【符号の説明】
【００９４】
１０  ユーザ端末
２０  車載端末
３０  情報処理装置
３２  地点情報取得部
３４  エリア特定部
３６  広告配信部
２３  撮像部
１００  移動体
３２０  端末紐付部
３３０  地点情報特定部
【図１】
2018012506.tif 000003
【図２】
2018012506.tif 000004
【図３】
2018012506.tif 000005
【図４】
2018012506.tif 000006
【図５】
2018012506.tif 000007
【図６】
2018012506.tif 000008
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
移動体にて使用される車載端末に対して広告情報を配信する情報処理装置であって、
前記移動体に乗車したユーザの所持するユーザ端末から送信された、前記移動体を手配するための配車情報に基づいて、前記ユーザが立ち寄る地点の情報を地点情報として取得する地点情報取得部と、
取得された地点情報に基づいて広告情報を取得して、該取得した広告情報を前記車載端末に対して配信する広告配信部と、
を備える情報処理装置。
【請求項２】
前記地点情報取得部は、
前記配車情報として、前記移動体を手配する際に前記ユーザに指定された経由地を示す情報又は目的地を示す情報を取得する請求項１に記載の情報処理装置。
【請求項３】
前記地点情報取得部は、
前記配車情報として、前記移動体以外の他の移動体を手配する際に前記ユーザに指定された経由地を示す情報又は目的地を示す情報を取得する請求項１に記載の情報処理装置。
【請求項４】
前記地点情報取得部は、
前記配車情報を、前記ユーザ端末から送信された前記配車情報を受け付けた前記移動体の運営主体の装置から取得する請求項１乃至３の何れか１項に記載の情報処理装置。
【請求項５】
前記地点情報取得部は、
前記移動体に乗車したユーザ以外の他のユーザの位置情報に基づいて、前記地点情報を取得する請求項１乃至４の何れか１項に記載の情報処理装置。
【請求項６】
前記地点情報取得部は、
前記移動体に乗車したユーザが、前記他のユーザの位置を経由地又は目的地として指定した場合に、前記他のユーザの位置情報に基づいて、前記地点情報を取得する請求項５項に記載の情報処理装置。
【請求項７】
前記広告配信部は、
前記車載端末から送信された前記移動体に乗車したユーザを撮像した撮像画像に基づいて、前記ユーザの属性を推定し、該推定した前記ユーザの属性及び前記取得された地点情報の双方に基づいて前記広告情報を取得する請求項１乃至６の何れか１項に記載の情報処理装置。
【請求項８】
前記広告配信部は、
前記移動体に複数のユーザが乗車している場合に、前記複数のユーザの内の前記車載端末の前に位置するユーザの属性及び前記取得された地点情報の双方に基づいて前記広告情報を取得する請求項７に記載の情報処理装置。
【請求項９】
前記地点情報取得部は、
前記移動体に乗車したユーザが所持するユーザ端末と前記車載端末とを紐づける端末紐付部と、
前記車載端末に紐づけた前記ユーザ端末の情報に基づいて、地点情報を特定する地点情報特定部と、
を備え、
前記広告配信部は、前記ユーザ端末に紐づけた前記車載端末に広告情報を配信する
請求項１乃至８の何れか１項に記載の情報処理装置。
【請求項１０】
前記端末紐付部は、
前記ユーザ端末及び前記車載端末の間の通信により前記ユーザ端末から取得した情報に基づいて前記ユーザ端末と前記車載端末とを紐づける請求項９に記載の情報処理装置。
【請求項１１】
前記端末紐付部は、
前記車載端末の位置情報と任意の複数のユーザ端末の位置情報とを取得し、前記車載端末の位置にリンクして移動するユーザ端末を前記車載端末に紐づける請求項９又は１０に記載の情報処理装置。
【請求項１２】
前記地点情報特定部は、地点情報を推定可能な推定情報を前記ユーザ端末から取得し、推定情報に基づいて地点情報を特定する請求項９乃至１１の何れか１項に記載の情報処理装置。
【請求項１３】
移動体にて使用される車載端末に対して広告情報を配信する情報処理装置としてコンピュータを機能させるプログラムであって、
前記プログラムは、
前記移動体に乗車したユーザが所持するユーザ端末から送信された、前記移動体を手配するための配車情報に基づいて、前記ユーザが立ち寄る地点の情報を地点情報として取得する地点情報取得部、
取得された地点情報に基づいて広告情報を取得して、該取得した広告情報を前記車載端末に対して配信する広告配信部、
としてコンピュータを機能させるプログラム。
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
移動体にて使用される車載端末に対して広告情報を配信する情報処理装置であって、
前記移動体に乗車したユーザの所持するユーザ端末から送信された、前記移動体を手配するための配車情報と、当該配車情報の履歴情報とに基づいて、前記ユーザが立ち寄る地点の情報を地点情報として取得する地点情報取得部と、
取得された地点情報に基づいて広告情報を取得して、該取得した広告情報を前記車載端末に対して配信する広告配信部と、
を備える情報処理装置。
【請求項２】
前記地点情報取得部は、
前記移動体に乗車したユーザが所持するユーザ端末と前記車載端末とを紐づける端末紐付部と、
前記車載端末に紐づけた前記ユーザ端末の情報に基づいて、地点情報を特定する地点情報特定部と、
を備え、
前記広告配信部は、前記ユーザ端末に紐づけた前記車載端末に広告情報を配信し、
前記地点情報特定部は、地点情報を推定可能な推定情報として、前記移動体の手配とは関連しない用途で用いられる情報を前記ユーザ端末から取得し、当該推定情報に基づいて地点情報を特定する請求項１に記載の情報処理装置。
【請求項３】
前記地点情報取得部は、
前記配車情報として、前記移動体を手配する際に前記ユーザに指定された経由地を示す情報又は目的地を示す情報を取得する請求項１又は２に記載の情報処理装置。
【請求項４】
前記地点情報取得部は、
前記配車情報として、前記移動体以外の他の移動体を手配する際に前記ユーザに指定された経由地を示す情報又は目的地を示す情報を取得する請求項１又は２に記載の情報処理装置。
【請求項５】
前記地点情報取得部は、
前記配車情報を、前記ユーザ端末から送信された前記配車情報を受け付けた前記移動体の運営主体の装置から取得する請求項１乃至４の何れか１項に記載の情報処理装置。
【請求項６】
前記地点情報取得部は、
前記移動体に乗車したユーザ以外の他のユーザの位置情報に基づいて、前記地点情報を取得する請求項１乃至５の何れか１項に記載の情報処理装置。
【請求項７】
前記地点情報取得部は、
前記移動体に乗車したユーザが、前記他のユーザの位置を経由地又は目的地として指定した場合に、前記他のユーザの位置情報に基づいて、前記地点情報を取得する請求項６項に記載の情報処理装置。
【請求項８】
前記広告配信部は、
前記車載端末から送信された前記移動体に乗車したユーザを撮像した撮像画像に基づいて、前記ユーザの属性を推定し、該推定した前記ユーザの属性及び前記取得された地点情報の双方に基づいて前記広告情報を取得する１乃至７の何れか１項に記載の情報処理装置。
【請求項９】
前記広告配信部は、
前記移動体に複数のユーザが乗車している場合に、前記複数のユーザの内の前記車載端末の前に位置するユーザの属性及び前記取得された地点情報の双方に基づいて前記広告情報を取得する請求項８に記載の情報処理装置。
【請求項１０】
前記端末紐付部は、
前記ユーザ端末及び前記車載端末の間の通信により前記ユーザ端末から取得した情報に基づいて前記ユーザ端末と前記車載端末とを紐づける請求項２に記載の情報処理装置。
【請求項１１】
前記端末紐付部は、
前記車載端末の位置情報と任意の複数のユーザ端末の位置情報とを取得し、前記車載端末の位置にリンクして移動するユーザ端末を前記車載端末に紐づける請求項２又は１０に記載の情報処理装置。
【請求項１２】
移動体にて使用される車載端末に対して広告情報を配信する情報処理装置としてコンピュータを機能させるプログラムであって、
前記プログラムは、
前記移動体に乗車したユーザが所持するユーザ端末から送信された、前記移動体を手配するための配車情報と、当該配車情報の履歴情報とに基づいて、前記ユーザが立ち寄る地点の情報を地点情報として取得する地点情報取得部、
取得された地点情報に基づいて広告情報を取得して、該取得した広告情報を前記車載端末に対して配信する広告配信部、
としてコンピュータを機能させるプログラム。
【国際調査報告】
2018012506.tif 000009
2018012506.tif 000010
2018012506.tif 000011
2018012506.tif 000012